(57)【要約】【課題】印刷済み連続用紙の長さに応じて、適切な量の切りこみを入れることが可能なパーシャルカットを行なうプリンタ及びパーシャルカット方法を提供すること。【解決手段】搬送制御部５６からの制御データ基づいて連続用紙の搬送長さを検出する搬送長さ検出部５６と、連続用紙の搬送長さ、連続用紙の材質、連続用紙の単位長さ当りの重さに応じたカット量を記憶しているカット量算出テーブル５８とを設け、搬送長さ検出部５６により算出した搬送長さとカット量算出テーブル５８のデータに基づいて、カット量算出部５７により連続用紙の幅方向のカット量を決定する。カッタ駆動制御部５９は、決定したカット量に基づいて、カッタ機構２０を制御する。これにより、連続用紙を搬送長さに応じて適切にパーシャルカットすることが可能となる。【選択図】図６
2005111841.tif 000002
【特許請求の範囲】
【請求項１】
連続用紙を搬送する搬送機構を制御する搬送制御部と、前記搬送制御部による搬送制御と同期して印刷機構を制御して前記連続用紙に印刷する印刷制御部と、カッタ機構を制御して印刷済の前記連続用紙を所定の位置で切断または部分的に切断するカッタ制御部とを備え、
前記カッタ制御部は、用紙を部分的にカットするパーシャルカット処理において、前回カットした位置からの連続用紙の搬送長さに応じて、前記連続用紙の幅方向のカット量を調整するカット量制御部を備えることを特徴とする印刷装置。
【請求項２】
前記カット量制御部は、前記搬送制御部からの搬送制御情報に基づいて、連続用紙の前記搬送長さを算出することを特徴とする請求項１に記載の印刷装置。
【請求項３】
前記カット量制御部は、前記搬送長さと前記カット量の関係を定めたカット量算出テーブルに基づいて、前記カット量を算出することを特徴とする請求項２に記載の印刷装置。
【請求項４】
前記カット量算出テーブルは、前記連続用紙の単位長さ当りの重さ、連続用紙の材質、前記搬送長さに応じて前記カット量を予め定めて記憶したテーブルからなることを特徴とする請求項３に記載の印刷装置。
【請求項５】
前記カット量算出テーブルは、連続用紙の種類に応じてそれぞれ異なるテーブルを備えることを特徴とする請求項４に記載の印刷装置。
【請求項６】
（ａ）連続用紙をカットした後の前記連続用紙の搬送長さを計測する工程と、
（ｂ）連続用紙のパーシャルカット命令を受信したときに、計測した前記搬送長さに応じて前記連続用紙の幅方向のカット量を決定する工程と、
（ｃ）決定した前記カット量に応じてカッタ機構を駆動するよう制御する工程と、
を備えることを特徴とするパーシャルカット制御方法。
【請求項７】
前記工程（ａ）は、用紙のラインフィード量から前記搬送長さを算出する工程を含むことを特徴とする請求項６に記載のパーシャルカット制御方法。
【請求項８】
前記工程（ｂ）は、前記搬送長さと前記カット量の関係を定めたカット量算出テーブルに基づいて、前記カット量を算出することを特徴とする請求項７に記載のパーシャルカット制御方法。
【請求項９】
請求項６から８のいずれか１項に記載の方法の各工程をコンピュータに実行させるプログラム。
【発明の詳細な説明】
【技術分野】
【０００１】
本発明は、連続用紙に印刷する印刷装置に関し、特に、印刷後に連続用紙を切断する全カット又は連続用紙の幅方向の一部を切断するパーシャルカットを行なうことのできる印刷装置（プリンタ）及び連続用紙のパーシャルカット方法に関する。
【背景技術】
【０００２】
連続した印刷用紙（ラベル用紙を含む）をロール状に巻いたロール紙は、狭い空間に印刷用紙を効率的に収納可能であるため、ＰＯＳプリンタ、受付番号発行機、及び携帯型プリンタ等のプリンタに多く使用されている。ロール紙から引き出された連続印刷用紙は、印刷された後に、手動により又はプリンタ内部に設けられたオートカッタ機構により切断される。オートカッタ機構を用いた切断には、連続用紙を完全に切断する場合と、用紙の一部を残して切り込みを入れる場合がある。一部を残して切り込みを入れた連続用紙は、操作者が手動で引き離すことにより、顧客に手渡される。上述のように用紙を完全に切断する場合を全カットと呼び、用紙の一部を残して切り込みを入れるカット方法をパーシャルカットと呼ぶ。
【０００３】
このような全カット及びパーシャルカットを行なう従来技術のカッタ機構には、用紙を固定刃に対してＶ字状の可動刃をギロチンのように移動させて用紙をカットするギロチン式カッタ機構（特許文献１）、円形の回転刃を移動させて用紙を切断するサークルカッタ機構（特許文献２）等がある。また、参考文献１には、稼動センサの位置を移動させることにより、パーシャルカット時の非カット部の幅を調整でき、カットされるラベル連続体が薄紙の場合には非カット部の幅を大き目にし、厚紙の場合には非カット部の幅を小さくする等の調整が可能である旨の記載がある。
【特許文献１】特開２００３−１２７４８３号公報
【特許文献２】特開２００２−２１９６８８号公報
【発明の開示】
【発明が解決しようとする課題】
【０００４】
上述したロール紙を使用する携帯型プリンタは、レストラン、倉庫管理等において使用される。例えばレストランでは、小型携帯プリンタを店員が携帯することにより、顧客のテーブルで注文伝票を発行し、又は精算伝票（レシート）等を発行することが可能となる。また、スーパーマーケット等では、小型のラベルプリンタを携帯して、ラベル印刷を行いながら、ラベルを商品に貼付するというような使用をする場合もある。このような場合、通常携帯型プリンタは腰にぶら下げて携帯され、その状態で印刷が実行される。
【０００５】
腰からプリンタをぶら下げて印刷を実行する場合には、印刷した連続用紙は排出口から下方に垂れ下がる。この場合に、パーシャルカットするまでの印刷量が多くなると、印刷されて垂れ下がる印刷済みの用紙の量も多くなるため、パーシャルカットのカットの量が大きい場合には（すなわち、カットされずに残された用紙の幅が小さい場合には）、印刷済みの用紙の重みによりパーシャルカット部分から連続用紙がちぎれてしまうおそれがある。特に、連続する台紙（剥離紙）上に配置されたラベル用紙のように、用紙自体の重さが通常の連続用紙より重い場合には、印刷した用紙の長さを十分考慮してカット量を確定することが望ましい。また、垂れ下がっている連続用紙の長さが長い場合や用紙幅が広い場合には、風等の外部環境の影響を受け易く、連続用紙がちぎれ易い。
【０００６】
しかし、従来のプリンタにおいては、印刷した連続用紙の長さに応じて、パーシャルカットのカット量を調整するということは、全く考量されておらず、従来技術では上述のような問題を解決することができなかった。
【０００７】
本発明は、上述の問題点に鑑みてなされたものであり、印刷した用紙の長さに応じてパーシャルカットの長さを調整可能なパーシャルカット装置またはパーシャルカット制御方法を提供することを目的とする。尚、印刷した用紙の長さに応じて定まるカット量は、使用している用紙の単位長さ当りの重さ、材質、用紙幅によって、それぞれ異なる。
【課題を解決するための手段】
【０００８】
本発明の第１の態様にかかる印刷装置は、連続用紙を搬送する搬送機構を制御する搬送制御部と、搬送制御部による搬送制御と同期して印刷機構を制御して連続用紙に印刷する印刷制御部と、カッタ機構を制御して印刷済の連続用紙を所定の位置で切断または部分的に切断するカッタ制御部とを備え、カッタ制御部は、用紙を部分的にカットするパーシャルカット処理において、前回カットした位置からの連続用紙の搬送長さに応じて、連続用紙の幅方向のカット量を調整するカット量制御部を備えることを特徴とする。この態様では、印刷後の連続用紙の搬送長さに応じて、用紙のカット量を決定することが可能となる。この際、用紙の搬送長さにより決定されるカット量は、連続用紙の長さ、用紙の強さ等の材質、連続用紙の単位長さ当りの重さ、用紙幅等の連続用紙の特性に応じて、決定することが可能である。これにより、パーシャルカットの切り込み量を、印刷済み用紙の重さ等によってパーシャルカット部分から連続用紙が破けることがなく、切り離すことが容易な適切な長さとすることが可能となる。
【０００９】
本発明の他の態様にかかる印刷装置は、カット量制御部は、搬送制御部からの搬送制御情報に基づいて、連続用紙の搬送長さを算出することを特徴とする。この態様では、プリンタの搬送命令に基づいて搬送長さを算出するので、簡単に搬送長さを算出することが可能となる。
【００１０】
本発明の他の態様にかかる印刷装置は、カット量制御部が、搬送長さとカット量の関係を定めたカット量算出テーブルに基づいて、カット量を算出することを特徴とする。予め適切なカット量を決定しておくことにより、プリンタの計算負荷を軽減し、高速かつ適切にカット量を決定することが可能となる。
【００１１】
本発明の他の態様にかかる印刷装置は、カット量算出テーブルが、連続用紙の単位長さ当りの重さ、連続用紙の材質、搬送長さに応じてカット量を予め定めて記憶したテーブルからなることを特徴とする。この態様により、使用する連続用紙の紙の種類に応じて、適切なカット量を決定することが可能となる。単位長さ当りの用紙の重さが大きい場合には、搬送長さが短くてもパーシャルカット部で連続用紙がちぎれ易くなる。例えば、ラベル用紙の場合は、単位長さ当りの用紙の重さは重い。また、ちぎれ易さは、用紙の材質によって異なる。さらに用紙の幅が広い場合には、風の影響を受けやすく、また切り込み深さも変ってくる。本態様では、これらの各種条件を考慮の上、用紙に応じて用紙のカット量を予め算出し、テーブルに記憶しておくことにより、適切なカット量を迅速に決定することが可能となる。
【００１２】
本発明の他の態様にかかる印刷装置は、カット量算出テーブルが、連続用紙の種類に応じてそれぞれ異なるテーブルを備えることを特徴とする。この態様により、使用する用紙に応じて適切なカット量を選択可能にすることが可能となる。
【００１３】
本発明の第１の実施態様にかかるパーシャルカット方法は、（ａ）連続用紙をカットした後の連続用紙の搬送長さを計測する工程と、（ｂ）連続用紙のパーシャルカット命令を受信したときに、計測した搬送長さに応じて連続用紙の幅方向のカット量を決定する工程と、（ｃ）決定したカット量に応じてカッタ機構を駆動するよう制御する工程とを備えることを特徴とする。
【００１４】
本発明の他の実施態様にかかるパーシャルカット方法は、工程（ａ）が、用紙のラインフィード量から搬送長さを算出する工程を含むことを特徴とする。
【００１５】
本発明の他の実施態様にかかるパーシャルカット方法は、工程（ｂ）が、搬送長さとカット量の関係を定めたカット量算出テーブルに基づいて、カット量を算出することを特徴とする。
【００１６】
本発明の他の態様は、上記パーシャルカット方法のいずれかに記載の各工程をコンピュータに実行させるプログラムである。コンピュータは、ＣＰＵ、論理回路、メモリ、及び各種制御プログラム等から成り、本プログラムを読み込むことにより、上記パーシャルカット方法の各工程を実行する。
【発明の効果】
【００１７】
本発明によると、印刷した連続用紙の搬送長さに応じて、パーシャルカットする場合のカット量が定められるので、搬送長さに応じて適切な量を残すようにカットされる。したがって、連続用紙がパーシャルカット位置で破れることや、逆に用紙の切り離しが困難となるようなことのないパーシャルカットが可能となる。さらに、搬送長さが同じであっても、連続用紙の材質、単位あたりの重さ、用紙の幅等に応じて、カット量を変化させることも可能である。
【発明を実施するための最良の形態】
【００１８】
以下、図面を参照しながら、本発明の実施の形態を詳細に説明する。
（プリンタの外観及び全体構造の説明）
図１は、本発明を適用可能なオートカッタを備えた小型プリンタ１０の一例を示す斜視図であり、図１（ａ）はプリンタの外観を示し、図１（ｂ）はカバー１２を開いた状態を示す図である。レストラン等においては、例えば、プリンタ１０を腰からぶら下げた状態で印刷をさせることも可能である。図２は、プリンタ１０の内部構造の概要を示す図である。図２では、内部を示すために、プリンタケース１１やカバー１２は省略している。プリンタの印刷方式は複数の発熱素子が紙幅方向に配置されたサーマルヘッドにより感熱記録紙であるロール紙に印刷を行なうサーマル方式であっても、ドットインパクト方式、またはインクジェット方式等の他の印刷方式であってもよい。
【００１９】
図１に示すように、プリンタ１０は、プリンタフレーム１１とカバー１２を備えており、その内部に印刷媒体としてロール紙９０が収納されている。プリンタの内部にはロール紙９０の端部を引出して連続用紙として搬送する搬送機構と、引き出した連続用紙に印刷を行なう印刷ヘッドと、印刷後に連続用紙を切断するカッタ機構とを備えている。
【００２０】
図２に示すように、搬送機構は、搬送ローラ１６と、搬送ローラ１６を駆動する動力伝達歯車１５とを備えた一般的な構造となっている。本実施形態では、搬送ローラ１６の対抗する位置に、印刷ヘッド（図示せず）が設けられている。搬送ローラ１６がプラテンの役割を果たし、連続用紙が印刷ヘッドと搬送ローラ１６の間を通過するときに、印刷が行なわれる。印刷が行われた連続用紙は、搬送ローラ１６で上方へ搬送され、プリンタ１０の外部へ排出される。そして、所定の印刷が終了すると、印刷ヘッド１１の上方（下流）に設置されたカッタ機構２０によって、連続用紙が切断またはパーシャルカットされる。
（カッタ機構の説明）
図２、図３、図４及び図５を用いて、カッタ機構２０を説明する。図３は、図２に示すプリンタ内部構造の平面図を示しており、図４は、カッタ機構２０と搬送ローラ１６とを抜き出して示した拡大図である。図５は、可動刃２２を駆動する駆動機構を示すために、カッタ機構２０を下側から見た斜視図である。
【００２１】
カッタ機構２０は、前述のギロチン式カッタ機構、サークルカッタ機構等を用いることもできるが、本実施形態では、固定刃２２と可動刃２１をはさみのように重ね合わせて摺動クロスさせて噛み合わせたカッタ機構を用いた例を示している。カット機構２０は、印刷ヘッドの上方に配置された可動刃２１と、搬送ローラ１６の上方に配置された固定刃２２とを備えている。可動刃２１は、通常は、固定刃２２や連続用紙と接触しない待機位置にいる。可動刃２１は駆動ピン２３により駆動される。駆動ピン２３は、可動刃２１に設けられた摺動溝穴２８を貫通している。駆動ピン２３は、カム２６（図３）の周縁近くに設けられ、カム２６が回転することにより、駆動ピン２３は矢印Ａ方向に移動する。可動刃２１は回動軸２４に回転可能に軸止されている。
【００２２】
したがって、カム２６の回転により駆動ピン２３が回転移動して摺動溝穴２８を摺動することにより、可動刃２１は往復運動を行なうことができる。一方、可動刃２１は、押さえバネ２５により固定刃２２に押さえ付けられているので、可動刃２１と固定刃２２がはさみ状に交叉摺動する。このように、可動刃２１と固定刃２２が交叉摺動することにより連続用紙は徐々に切り込まれていく。連続用紙の全幅亘って切りこまれることにより用紙は全カットとなり、一部が残されることによりパーシャルカットとなる。全カットするか、パーシャルカットするか、パーシャルカットする場合にどの位切りこみを入れるかは、駆動ピン２３の移動量、すなわち、カム２６の回転量により確定される。
【００２３】
カム２６は、図４に示すように回転軸２７が回転することにより回転する。カム２６の回転駆動、すなわち、可動刃２１の駆動について図５を用いて説明する。可動刃２１は、駆動モータ又は電磁石のような駆動装置により駆動することができる。本実施例では、駆動装置として駆動モータ３０を用いるものとして説明する。駆動モータは、ステップモータのように回転角度を正確に制御できる駆動装置であることが望ましいが、ＤＣモータを使用することも可能である。
【００２４】
駆動モータ３０の回転軸には、駆動歯車３１が設けられており、第１の伝達歯車３２と噛合っている。第1の伝達歯車３２はその回転軸に小歯車（図示せず）を有しており、第２の伝達歯車３３と噛合っている。第２の伝達歯車３３にも小歯車３４を有しており、小歯車３４は、第３の伝達歯車３５と噛合っている。第３の伝達歯車３５からカム２６の回転軸２７に設けられた歯車３６に回転動力が伝達される。したがって、駆動モータ３０を所定量回転させることにより、カム２６の回転により駆動ピン２３を所定量移動する。これにより可動刃２１が所定量移動し、全カット、パーシャルカットが実行される。
【００２５】
可動刃２１が所定量移動して連続用紙が所定量カットされると、駆動モータ３０は停止する。その後、駆動モータ３０が逆方向に回転駆動されることにより、可動刃２１が逆方向に駆動されてホームポジションまで戻される。
【００２６】
なお、本実施例では、伝達歯車３２〜３４を介してカム２６を駆動することにより駆動モータ３０の回転比を大幅に減少させている。これにより、駆動モータ３０の微小な回転誤差がカム２６に影響を与えることを抑制し、正確に用紙のカット量を制御できるようにしている。
（プリンタの制御）
（印刷及び搬送制御）
次に、プリンタ１０の制御について説明する。図６は、本発明の一実施形態にかかるプリンタの機能ブロック図である。プリンタ１０は、印刷ヘッド等を含む印刷機構４１、搬送ローラ１６及び搬送用伝達歯車１５等を含む搬送機構４２、カッタ機構２０及びこれらを制御する制御部５０とから構成される。
【００２７】
制御部５０は、ホスト装置等のプリンタを制御する外部装置との接続インタフェース５１、プリンタ１０全体の動作を管理し制御する主制御部５２、印刷機構４１を制御する印刷制御部５３、搬送機構４２を制御する紙送り制御部５４、及び前述したカッタ機構２０を制御するカッタ制御部５５を備えている。
【００２８】
主制御部５２は、インタフェース５１を介して外部装置からの印刷命令、紙送り命令、印刷用紙カット命令等の制御命令と、印刷データ等のデータを受信する。紙送り制御部５４は、受信した紙送り命令に応じて搬送機構４２を制御して、連続用紙の紙送りを制御する。印刷制御部５３は、印刷機構４１を制御して、紙送り制御部５４による紙送り動作と同期させながら、受信した印刷データを印刷させる。
【００２９】
（カッタ機構の制御）
まず、以下のカッタ機構の制御をわかり易く説明するために、カット量、及び非カット量等を図を用いて明確に示しておく。図７（ａ）は用紙幅とカット量の関係を示す図である。用紙は矢印方向（図の下方向）に搬送され、用紙６０のパーシャルカット位置より前の搬送長さをｙ、パーシャルカットのカット量（幅方向の切り込み長さ）をｘ、非カット量（カットされずに残された部分の長さ）をｘ’及び用紙の幅をｚとして示している。
【００３０】
カッタ制御部５５は、搬送長さ検出部５６、カット量算出部５７、カット量算出テーブル５８及びカッタ駆動制御部５９とを備えている。カッタ制御部５５は、全カットした後に連続用紙６０がどれだけの長さｙだけ搬送されたかを、紙送り制御部５４からの制御データに基づいて算出する。この場合には、全カット後にパーシャルカットが複数回連続して行われる場合であっても、全カット位置からの搬送長さｙが、パーシャルカットの度に算出される。これにより、全カットの後にパーシャルカットが複数回繰り返される場合でも、排出された連続用紙の全体の搬送長さ（重さ）に応じて、適切なカット量を算出することが可能となる。
【００３１】
ここで、各パーシャルカット位置を基準にして搬送長さｙを算出するように構成することもできる。パーシャルカット毎にオペレータが連続用紙を切り離す場合があるからである。また、所定の複数回のパーシャルカットを行った後に、オペレータが連続用紙を切り離すという操作もよく行われる。そのために、所定回数のパーシャルカットが行われる毎に、搬送長さの算出基準位置を更新するように構成することも可能である。さらに、搬送長さｙの基準位置を、全カット位置、個々のパーシャルカット位置、または複数回のパーシャルカット単位のいずれかに設定すること又は選択的に変更することができる構成としてもよい。
【００３２】
搬送長さｙを具体的に算出する方法としては、例えば、全カットまたはパーシャルカットした後の紙送り単位の数（ラインフィード数）をカウントし、１カウントにより実行される紙送り量とカウント数とを掛け合わせることにより、搬送長さｙを算出することができる。
【００３３】
カット量算出テーブル５８は、メモリ等の記憶部（図示せず）内に記憶されているテーブルであって、パーシャルカットのためのカット量ｘ（または非カット量ｘ’）が、搬送量の長さｙに応じて表形式で記憶されている。カット量算出部５７は、主制御部５２からのカット命令に基づいて、搬送長さ検出部５６から搬送長さｙを読出し、カット量算出テーブル５８を用いて、連続用紙６０の種類及び搬送長さｙに対応する適切なカット量ｘを決定する。
【００３４】
カット量算出部５７により決定されたカット量ｘは、駆動モータの制御データとしてカッタ駆動制御部５９に出力される。カッタ駆動制御部５９は、受信したカット量ｘに基いてカッタ機構２０の駆動モータ３０を制御し回転駆動させる。これにより、可動刃２１は連続用紙６０を幅方向に所定のカット量ｘに相当する長さだけ、カットする。
【００３５】
携帯型プリンタ１０は、作業性の観点から、からだの一部にぶら下げて使用される場合が多い。図７（ｂ）に、腰にプリンタ１０をぶら下げた場合におけるパーシャルカットされた連続用紙６０を示す。このように連続用紙６０がプリンタ１０の排出口１７から垂れ下がることになる。したがって、非カット量ｘ’が少なすぎると、印刷済み用紙６０の重み等により、パーシャルカットの非カット部分ｘ’が破れてしまう可能性かある。逆に、非カット量ｘ’が多すぎると、オペレータが連続用紙６０を切り離すのが困難となる。本発明において、パーシャルカットにおいて、非カット量ｘ’を連続用紙６０の長さに応じて決定するのは、するのは、連続用紙６０がパーシャルカット部分で破けるのを防止しつつ、適当な非カット量ｘ’を得るためである。
【００３６】
パーシャルカットの際のカット量ｘは、連続用紙の搬送長さによって決定される。搬送長さに対してどの程度のカット量ｘ（又は非カット量ｘ’）とするかは、用紙の重さ、用紙の材質（非カット部分の強さ）、用紙６０の幅等に応じて確定される。より具体的には、カット量ｘは、用紙の種類（ラベル用紙、通常用紙、単位長さ当りの用紙の重さ）の違い、用紙の幅によって、確定される。従って、搬送長さｘに対応するカット量ｘは、用紙の種類によって異なることとなる。カット量算出テーブル５８には、用紙の単位長さごとに予め確定されたカット量が記憶されている。さらに、カット量算出テーブル５８に、用紙の種類に応じて、それぞれのカット量の各種テーブルを用意し、使用される用紙に応じて、どのテーブルを使用するかを選択するように構成することも可能である。
【００３７】
主制御部５２、印刷制御部５３、紙送り制御部５４、カッタ制御部５５は、ＣＰＵ、論理回路、メモリを含む記憶装置、及び各種制御プログラム等により構成することができ、外部装置から受信した印刷命令、搬送命令、カット命令等に応じて、ＣＰＵが記憶装置に記憶した各種制御プログラムを実行することにより、上述した各種動作を実行する。
【００３８】
図８は、パーシャルカットの制御手順を示すフローチャートである。紙送りが行われると（Ｓ１０１；ＹＥＳ）、搬送制御部５４からのデータに基づいて紙送り量のカウントが行われる（Ｓ１０２）。カウントは、紙送り命令によるラインフィードの数に比例して、カウントされる。例えば、１回の紙送り命令により３ラインのラインフィードが実行された場合には、３カウントプラスされる。
【００３９】
紙送りが行なわれない場合には（Ｓ１０１；ＮＯ）、用紙カット命令を受信したかどうかが確認され（Ｓ１０３）、受信していない場合には（Ｓ１０３；ＮＯ）。再び、紙送りが行われたかどうかの確認が行われ（Ｓ１０１）、同様のカウント動作が用紙カット命令を受信するまで繰り返される（Ｓ１０１からＳ１０３）。用紙カット命令を受信すると（Ｓ１０３；ＹＥＳ）、紙送り量カウントを読出して紙送り量を算出する（Ｓ１０４）。次に、算出した紙送り量（カウント値）に基づいて、カット量算出テーブル５８からカット量を読み出す（Ｓ１０５）。カット量算出部５７は、読み出したカット量に基づいて、搬送モータ３０等の駆動部を制御し、カッタの可動刃２１を所定のカット量に対応する量だけ駆動させる（Ｓ１０６）。尚、紙送り量をカウントするカウンタは、全カットを行ったときにクリアするようにしても、パーシャルカットごとにクリアするようにしてもよい。
【図面の簡単な説明】
【００４０】
【図１】本発明を適用可能なオートカッタを備えた小型プリンタの一例を示す斜視図であり、図１（ａ）はプリンタの外観を示し、図１（ｂ）はカバーを開いた状態を示す図である。
【図２】プリンタの内部構造の概要を示す図である。
【図３】図２に示すプリンタ内部構造の平面図である。
【図４】カッタ機構と搬送ローラ部分を抜き出して示した拡大図である。
【図５】可動刃を駆動する駆動機構を示すために、カッタ機構を下側から見た斜視図である。
【図６】本発明の一実施形態にかかるプリンタの機能ブロック図である。
【図７】図７（ａ）は用紙幅とカット量の関係を示す図であり、図７（ｂ）は、腰にプリンタをぶら下げた場合におけるパーシャルカットされた用紙の例を示す図である。
【図８】パーシャルカットの制御手順を示すフローチャートである。
【符号の説明】
【００４１】
１０  プリンタ                      １１  フレーム
１２  カバー                        １５  動力伝達歯車
１６  搬送ローラ                    ２０  カッタ機構
２１  可動刃                        ２２  固定刃
２３  駆動ピン                      ２４  回動軸
２５  押さえバネ                    ２６  カム
２７  回転軸                        ２８  摺動溝穴
３０  駆動モータ                    ３１  駆動歯車
３２  第１の伝達歯車                ３３  第２の伝達歯車
３４  小歯車３４                    ３５  第３の伝達歯車
３６  カム軸の歯車                  ４１  印刷機構
４２  搬送機構                      ５１  インタフェース
５２  主制御部                      ５３  印刷制御部
５４  紙送り制御部                  ５５  カッタ制御部
５６  搬送長さ検出部                ５７  カット量算出部
５８  カット量算出テーブル          ５９  カッタ駆動制御部
６０  連続用紙                        ｘ  カット量
ｘ’  非カット量                      ｙ  搬送長さ
ｚ  用紙幅
【図１】
2005111841.tif 000003
【図２】
2005111841.tif 000004
【図３】
2005111841.tif 000005
【図４】
2005111841.tif 000006
【図５】
2005111841.tif 000007
【図６】
2005111841.tif 000008
【図７】
2005111841.tif 000009
【図８】
2005111841.tif 000010